(57)【要約】【課題】乳母車を押す者が、安全且つ快適に乳母車を使用できるような乳母車用レインカバーを提供することを目的とする。【解決手段】乳母車用レインカバー１００を、乳母車２００のハンドル２１０を除く座席２２０を中心とした乳母車２００全体を覆うカバー本体１１０と、ハンドル２１０を覆うハンドルカバー部１２０とで構成する。ハンドルカバー部１２０で、ハンドル２１０とハンドル２１０を握る手とを同時に被って、雨などでハンドル２１０及びハンドル２１０を握る手が濡れるのを防ぐ。【選択図】図１
2014177211.tif 000002
【特許請求の範囲】
【請求項１】
乳母車を覆うカバー本体を備えた乳母車用レインカバーであって、
前記カバー本体に、前記乳母車のハンドルを覆うハンドルカバー部を備えた
乳母車用レインカバー。
【請求項２】
前記ハンドルカバー部が、前記乳母車の前記ハンドル全体を一体に覆う形状である
請求項１に記載の乳母車用レインカバー。
【請求項３】
前記ハンドルカバー部の下面全体に開口部を有する
請求項１又は２に記載の乳母車用レインカバー。
【請求項４】
前記カバー本体と前記ハンドルカバー部との間に着脱構造を有する
請求項１から３のいずれか一項に記載の乳母車用レインカバー。
【発明の詳細な説明】
【技術分野】
【０００１】
この発明は、乳母車を覆う乳母車用レインカバーに関する。
【背景技術】
【０００２】
乳母車に乗せた乳幼児を、雨などから保護するために様々な乳母車用レインカバーが提案されている。  
例えば、特許文献１に記載のベビーカー用レインカバーがある。
【０００３】
しかし、特許文献１に記載のベビーカー用レインカバーをはじめとして、これまでの乳母車用レインカバーは、乳母車の乳幼児が乗る部分のみを覆う形状であって、乳母車を押すときに握るハンドル部分を覆うものはなかった。つまり、乳母車のハンドルは、乳母車用レインカバーから露出しているため、雨などで濡れてしまう。
【０００４】
ハンドルが合成樹脂成形品の場合は、ハンドルが雨に濡れてしまうことによって、ハンドルを握る手が滑ることがある。ハンドルにスポンジを巻いている場合は、スポンジが雨で濡れて水分を含むことによって、手に不快感を感じたり、スポンジが乾くのに時間がかかったりする。
【先行技術文献】
【特許文献】
【０００５】
【特許文献１】特開２００３−０５４４１６号公報
【発明の概要】
【発明が解決しようとする課題】
【０００６】
そこで本発明は、乳母車を押す者が、安全且つ快適に乳母車を使用できるような乳母車用レインカバーを提供することを目的とする。
【課題を解決するための手段】
【０００７】
この発明は、乳母車を覆うカバー本体を備えた乳母車用レインカバーであって、前記カバー本体に、前記乳母車のハンドルを覆うハンドルカバー部を備えた乳母車用レインカバーである。  
この発明により、ハンドルカバー部をハンドルへ装着することで、ハンドルが雨などに濡れることを防ぐことができる。ハンドルカバー部の内側に手を入れてハンドルを握ることで、手が濡れることも防ぐことができるため、乳母車を押す者は、安全且つ快適に乳母車を使用することができる。
【０００８】
この発明の態様として、前記ハンドルカバー部が、前記乳母車の前記ハンドル全体を一体に覆う形状にすることができる。  
この発明により、左右に離れたハンドルや、左右に繋がったバー状のハンドルなどにもハンドルカバー部を装着することができる。このため、ひとつのレインカバーで、ハンドルの形態が異なる複数種類の乳母車に対応することができる。
【０００９】
この発明の態様として、前記ハンドルカバー部の下面全体に開口部を有するものとすることができる。  
この発明により、ハンドルカバー部の下面の開口部全体を開いて、ハンドルカバー部をハンドルに向かって下ろすことで、ハンドルカバー部をハンドルへ容易に装着することができる。装着の際は、ハンドルカバー部の開口部全体を開くことができるため、ハンドルカバー部がハンドルに引っかかることなく、円滑に装着作業を行うことができる。
【００１０】
この発明の態様として、前記カバー本体と前記ハンドルカバー部との間に着脱構造を有することができる。該着脱構造には、面ファスナーやスナップなどを用いることができる。  
この発明により、例えば、雪の日などで手袋をしていてハンドルカバー部をハンドルへ装着する必要がない場合は、面ファスナーで着設されたカバー本体とハンドルカバー部とを分離して使用することができる。
【発明の効果】
【００１１】
この発明によれば、雨などによって乳母車のハンドルや手を濡らすことがないため、乳母車を押す者が安全且つ快適に乳母車を使用できる乳母車用レインカバーを提供することができる。
【図面の簡単な説明】
【００１２】
【図１】乳母車にレインカバーを装着した状態の斜視図。
【図２】レインカバーの斜視図。
【図３】レインカバーの上面図。
【図４】レインカバーの左側面図。
【図５】レインカバーの正面図。
【図６】背面カバーを開いた状態のレインカバーの左側面図。
【図７】レインカバーの背面図。
【図８】図７中のＡ−Ａ矢視におけるハンドルカバー部の拡大断面図。
【図９】ハンドルに対するハンドルカバー部の装着状態の断面図。
【図１０】ハンドルカバー部内でハンドルを握った状態の断面図。
【図１１】ハンドルにハンドルカバー部を装着した際の説明図。
【図１２】他の実施形態を説明するレインカバーの分解斜視図。
【発明を実施するための形態】
【００１３】
この発明の一実施形態を以下図面と共に説明する。  
本実施形態におけるレインカバー１００は、軟質の合成樹脂シートで形成されており、図１に示すように、ハンドル２１０を除く座席２２０を中心とした乳母車２００全体を覆うカバー本体１１０と、ハンドル２１０を覆うハンドルカバー部１２０とで構成している。  
ここで、乳母車２００の幅方向Ｙに対して、進行方向を前後方向Ｘとする。前後方向Ｘにおいて、乳母車２００を押す方向を前方Ｘａとし、逆方向を後方Ｘｂとする。
【００１４】
まず、カバー本体１１０について説明する。  
カバー本体１１０は、図２に示すように、底面以外の５面を覆うような形状であり、上面カバー１１１、左右の側面カバー１１２、正面カバー１１３、及び背面カバー１１４とを有する。左右の側面カバー１１２と正面カバー１１３との間は、スライドファスナー１１６ａを備えており、開閉可能である。
【００１５】
上面カバー１１１は、図３に示すように、前後方向Ｘ及び幅方向Ｙにおいて、座席２２０の上方にある幌２３０の平面視形状よりも大きい大きさの矩形である。  
側面カバー１１２は、図４に示すように、上底に対して下底が前方Ｘａに長い略台形である。側面カバー１１２の高さは、乳母車２００の車輪２４０より上の位置から幌２３０の上面までの長さに対応する長さである（図１参照）。
【００１６】
側面カバー１１２は、上下方向の中間位置に、この部分を横切るようにスライドファスナー１１６ｂを備えており、開閉可能である。側面カバー１１２のスライドファスナー１１６ｂより上側を透明部材で形成し、それより下側を不透明部材で形成している。透明部材の前方Ｘａ下側隅には扇形の通気部１１５を備えている。通気部１１５は、メッシュ素材で形成している。
【００１７】
正面カバー１１３は、図５に示すように、矩形である。そして、正面カバー１１３は、上下方向の中間位置より上側を透明部材で形成し、それより下側を不透明部材で形成している。  
背面カバー１１４は、図６に示すように、側面カバー１１２の後端から延設している。すなわち、背面カバー１１４は、側面カバー１１２から延びる左右２枚の背面カバー担体１１４ａを有し、図７に示すように、これら背面カバー担体１１４ａの遊端側を重ね合わせて閉じる構成である。
【００１８】
背面カバー１１４にも、側面カバー１１２と同様に、スライドファスナー１１６ｂを上下方向の中間位置に備えており、スライドファスナー１１６ｂから上側を透明部材で形成し、下側を不透明部材で形成している。側面カバー１１２のスライドファスナー１１６ｂと背面カバー１１４のスライドファスナー１１６ｂは、一連のものである。
【００１９】
左右の背面カバー担体１１４ａの透明部材及び不透明部材の後方Ｘｂ上側隅には、図６に示すように、面ファスナー１１７ａを備えている。左右の背面カバー担体１１４ａが閉じた際に、右の背面カバー担体１１４ａに備えた面ファスナー１１７ａと左の背面カバー担体１１４ａの面ファスナー１１７ａとが係合し、背面を閉じることができる。さらに、背面カバー担体１１４ａの前方Ｘａ上側にも背面カバー担体１１４ａから突出するように面ファスナー１１７ｂを備えている。
【００２０】
次に、ハンドルカバー部１２０について説明する。  
ハンドルカバー部１２０は、図２及び図８に示すように、横長で倒立した袋状をしており、下面全体に開口部１２３を有している。ハンドルカバー部１２０の幅方向Ｙの長さは、カバー本体１１０の幅と同じである。
【００２１】
ハンドルカバー部１２０は、前後方向Ｘにハンドル２１０を覆う部分をハンドルカバー１２１と、ハンドルカバー１２１内を前後方向Ｘに広げて空間をつくるハンドルサイドカバー１２２とを有する。ハンドルカバー部１２０の大きさは、ハンドル２００とハンドル２００を握る手を同時に被覆できる大きさである。
【００２２】
ハンドルカバー１２１は、図４に示すように、前方Ｘａの面が下方へ所定の長さ延びている。そして、図２に示すように、延びた部分の下方の両側隅に面ファスナー１１７ｃを備えている。面ファスナー１１７ｃは、背面カバー担体１１４ａの面ファスナー１１７ｂに係合するものである。  
ハンドルカバー部１２０は、図２に示すように、カバー本体１１０の上面カバー１１１の後方Ｘｂに対してハンドルカバー１２１の前方Ｘａ下端が縫い付けられて一体化されている。
【００２３】
上述したレインカバー１００の使用方法について説明する。  
カバー本体１１０は、背面カバー１１４を開放した状態で前方Ｘａ上側から乳母車２００に被せるように装着する。ハンドルカバー部１２０は、図９に示すように、カバー本体１１０と同様に、上方からハンドル２１０に向かって下ろして、ハンドル２１０に被せるように装着する。
【００２４】
レインカバー１００を乳母車２００に装着した後、左右の背面カバー担体１４０ａを重ね合わせるように折り曲げて、面ファスナー１１７ａによって重ね合わせた状態を保持する。レインカバー１００を被った乳母車２００を押す者は、図１０に示すように、ハンドルカバー部１２０の内側に手を入れてハンドル２１０を握るとよい。
【００２５】
上述したレインカバー１００の作用効果について説明する。  
本実施形態のレインカバー１００は、背面カバー１１４が開放できる構造であるとともに、ハンドルカバー部１２０の下面全体が開口しているため、被せるように装着するだけの作業となり、従来のレインカバーと比べて、より容易に乳母車２００へ装着することができる。
【００２６】
レインカバー１００は、ハンドルサイドカバー１２２を備えたことによって、開口部１２３がより開口し易くなり、ハンドルカバー部１２０をハンドル２００へ装着する作業を容易に行うことができる。さらに、ハンドルカバー部１２０内に手を入れ易くなり、乳母車２００を押す者は容易にハンドル２１０を握ることができる。そして、レインカバー１００は、上述のようなハンドルカバー部１２０を有するので、乳母車２００に対して被せるだけで装着状態が安定する。つまり、ハンドルカバー部１２０には、カバー本体１１０の安定した装着状態を得る機能も有する。
【００２７】
レインカバー１００は、背面カバー１１４の面ファスナー１１７ｂをハンドルカバー１２１の面ファスナー１１７ｃに係脱することで、前後方向Ｘにおける上面カバー１１１の長さと上下方向におけるハンドカバー部１２０の高さを調整することができる。したがって、ひとつのレインカバー１００で、ハンドル２１０の長さが違う乳母車２００や前後方向Ｘにおいて幌２３０長さが異なる乳母車２００などに対応することができる。
【００２８】
また、面ファスナー１１７ｂと面ファスナー１１７ｃとをハンドル２１０の固定するように係止することができる。この係止により、レインカバー１００は、ハンドル２１０、つまり乳母車２００に固定されるため、ハンドル２１０からハンドルカバー部１２０を外しても、レインカバー１００の乳母車２００に対する固定状態を維持することができる。
【００２９】
レインカバー１００を乳母車２００に装着することで、座席２２０はもちろんのこと、ハンドル２１０やハンドル２１０を握る手も雨などで濡れることを防ぐことができるため、乳母車２００を押す者は、安全且つ快適に乳母車２００を使用することができる。
【００３０】
ハンドルカバー部１２０をハンドル２１０に装着する際、ハンドルカバー部１２０は、ハンドル２１０全体を覆うように形成しているため、図１１に示すように、左右に繋がったバー状のハンドル２１０（図１１（ａ））にも、左右に離れたハンドル２１０（図１１（ｂ））などにもハンドルカバー部１２０を装着することができる。
【００３１】
さらに、ハンドルカバー部１２０は、下面全体が開口部１２３になっているため、ハンドル２１０に装着する際、ハンドル２１０にひっかかることなく容易且つ円滑に装着作業を行うことができる。
【００３２】
レインカバー１００は、スライドファスナー１１６ａを備えたことによって側面カバー１１２と正面カバー１１３を開閉できるため、乳母車２００からレインカバー１００を外すことなくカバー本体１１０の内側に手を入れることができる。このため、レインカバー１１０の内側に手を入れても座席２２０に座る乳幼児や座席２２０が雨に濡れることはない。
【００３３】
その上、ハンドルカバー部１２０がハンドル２１０にひっかかった状態でカバー本体１１０の装着状態が保たれているので、カバー本体１１０内に手を入れて乳幼児の世話をしてもレインカバー１００が乳母車２００から外れることはない。
【００３４】
この発明の構成と、上述の実施形態との対応において、
この発明の乳母車用レインカバーは、実施形態のレインカバー１００に対応するが、
この発明は、上述の実施形態の構成のみに限定されるものではなく、多くの実施の形態を得ることができる。
【００３５】
例えば、上述するように、レインカバー１００は、透明部材と不透明部材を組み合わせて構成しているが、それだけに限らず、全面において透明部材で構成してもよい。そして、不透明部材の表面には、適宜の模様を付けることができる。レインカバー１００を透明部材のみの構成にしたり、レインカバー１００に模様を付けることで、レインカバー１００の外観をよくすることができる。
【００３６】
レインカバー１００を、図１２に示すように、カバー本体１１０とハンドルカバー部１２０に面ファスナー１１７ｄを備えて、カバー本体１１０とハンドルカバー部１２０が着脱可能な構造にすることで、ハンドルカバー部１２０が必要ない場合は、カバー本体１１０とハンドルカバー部１２０とを分離して使用することができる。  
着脱可能な構造は、面ファスナー１１７ｄだけに限らず、スライドファスナーやスナップなどでもよい。
【００３７】
ハンドルカバー部１２０の開口部１２３の縁に形状保持性を有する変形可能なワイヤを備えてもよい。ワイヤを備えることで開口部１２３はより開き易くなり、ハンドル２００への装着がより容易になるとともに、ハンドル２００をより握り易くなる。
【００３８】
ハンドルカバー部１２０を、ハンドル２１０全体を覆うように形成するだけに限らず、左右に離れたハンドル２１０に合わせて、左右に離れたハンドルカバー部１２０を形成してもよい。
【符号の説明】
【００３９】
１００…レインカバー
１１０…カバー本体
１１７ｄ…面ファスナー
１２０…ハンドルカバー部
１２３…開口部
２００…乳母車
２２０…ハンドル
【図１】
2014177211.tif 000003
【図２】
2014177211.tif 000004
【図３】
2014177211.tif 000005
【図４】
2014177211.tif 000006
【図５】
2014177211.tif 000007
【図６】
2014177211.tif 000008
【図７】
2014177211.tif 000009
【図８】
2014177211.tif 000010
【図９】
2014177211.tif 000011
【図１０】
2014177211.tif 000012
【図１１】
2014177211.tif 000013
【図１２】
2014177211.tif 000014